(57)【要約】【課題】エレベータ用扉ストッパにおいて、より短時間でエレベータの敷居溝に設置することである。【解決手段】エレベータの敷居溝１４に矩形状の突っ張り板として配置される一対のくさび片１６、１８を、各々の傾斜面を対向させて滑らせることにより、各々の敷居溝１４に沿った面を敷居溝１４の縁に押し当てて突っ張り固定させ、エレベータの扉１２を開いた状態で扉１２を拘束する矩形のエレベータ用扉ストッパ１０であって、一方のくさび片１６は、他方のくさび片１８と対向する傾斜面に、他方のくさび片１８を案内する突出した案内部２０を有し、他方のくさび片１８は、一方のくさび片１６と対向する傾斜面に、案内部２０を嵌め込む案内溝２２を有し、一方のくさび片１６の案内部２０を他方のくさび片１８の案内溝２２に嵌め込んで案内することを特徴とする。【選択図】図２
2007106585.tif 000002
【特許請求の範囲】
【請求項１】
エレベータの敷居溝に矩形状の突っ張り板として配置される一対のくさび片を、各々の傾斜面を対向させて滑らせることにより、各々の敷居溝に沿った面を敷居溝の縁に押し当てて突っ張り固定させ、エレベータの扉を開いた状態で扉を拘束する矩形のエレベータ用扉ストッパであって、
一方のくさび片は、他方のくさび片と対向する傾斜面に、他方のくさび片を案内する突出した案内部を有し、
他方のくさび片は、一方のくさび片と対向する傾斜面に、案内部を嵌め込む案内溝を有し、
一方のくさび片の案内部を他方のくさび片の案内溝に嵌め込んで案内することを特徴とするエレベータ用扉ストッパ。
【発明の詳細な説明】
【技術分野】
【０００１】
本発明は、エレベータ用扉ストッパに係り、特に、エレベータの敷居溝に矩形状の突っ張り板として配置される一対のくさび片を、各々の傾斜面を対向させて滑らせることにより、各々の敷居溝に沿った面を敷居溝の縁に押し当てて突っ張り固定させ、エレベータの扉を開いた状態で扉を拘束する矩形のエレベータ用扉ストッパに関する。
【背景技術】
【０００２】
エレベータの保守作業時には、エレベータの扉を開いた状態で保持することにより保守作業が行われる場合が多い。エレベータの扉を開いた状態で扉を拘束するためには、エレベータ用扉ストッパが使用される。エレベータ用扉ストッパとしては、一般的に、くさび片が用いられる。そして、エレベータの扉が乗り場の三方枠の中に入り込むときに、扉と三方枠との隙間にくさび片を挟み込むことで、エレベータの扉を摩擦力により拘束し、扉を開いた状態に保持している。しかし、このような場合には、エレベータの扉を拘束するために、くさび片をエレベータの扉と三方枠との隙間に大きな力で挿入する必要がある。そのため、エレベータの扉がくさび片により湾曲する場合がある。また、くさび片をエレベータの扉と三方枠との隙間に挿入するときの力が小さいと、くさび片がエレベータの扉と三方枠との隙間から外れて扉を拘束できない場合がある。
【０００３】
そこで、エレベータ用扉ストッパとして一対のくさび片を用いて、各々をエレベータの敷居溝に配置し、エレベータの扉を開いた状態で扉を拘束することが行われている。具体的には、各々くさび片の傾斜面を対向させて滑らせることにより、各々くさび片の敷居溝に沿った面を敷居溝の縁に押し当てることにより固定させている。上記のような方法で一対のくさび片をエレベータの敷居溝に配置することにより、エレベータの扉に余計な負荷をかけずに扉を止めることができる。また、エレベータ用扉ストッパは、敷居溝に配置されるため脱落することがない。このようなエレベータ用扉ストッパは、例えば、特許文献１に示されている。
【０００４】
【特許文献１】特開２００４−５１３０９号公報
【発明の開示】
【発明が解決しようとする課題】
【０００５】
上述したように、一対のくさび片をエレベータの敷居溝に取り付けるときには、各々くさび片を、敷居溝に配置して各々の傾斜面を対向させて滑らせることにより、各々の敷居溝に沿った面を敷居溝の縁に押し当てている。このため、各々くさび片の傾斜面を対向させて滑らせるときに、各々くさび片の傾斜面と傾斜面との間に上下方向のずれ等が生じる場合がある。そして、このようなずれ等が生じると、各々くさび片の敷居溝に沿った面を敷居溝の縁に押し当てるときに、くさび片と敷居溝との間に片当たり等が生じ、敷居溝の縁に各々くさび片を十分に突っ張り固定させることができない場合がある。そして、このような上下方向のずれ等をできるだけ生じさせないように一対のくさび片を敷居溝に取り付けるためには、多大な取り付け時間を要するという問題がある。
【０００６】
そこで、本発明の目的は、かかる課題を解決し、より短時間でエレベータの敷居溝に取り付けることができるエレベータ用扉ストッパを提供することである。
【課題を解決するための手段】
【０００７】
本発明に係るエレベータ用扉ストッパは、エレベータの敷居溝に矩形状の突っ張り板として配置される一対のくさび片を、各々の傾斜面を対向させて滑らせることにより、各々の敷居溝に沿った面を敷居溝の縁に押し当てて突っ張り固定させ、エレベータの扉を開いた状態で扉を拘束する矩形のエレベータ用扉ストッパであって、一方のくさび片は、他方のくさび片と対向する傾斜面に、他方のくさび片を案内する突出した案内部を有し、他方のくさび片は、一方のくさび片と対向する傾斜面に、案内部を嵌め込む案内溝を有し、一方のくさび片の案内部を他方のくさび片の案内溝に嵌め込んで案内することを特徴とする。
【発明の効果】
【０００８】
上記のエレベータ用扉ストッパによれば、より短時間でエレベータの敷居溝に取り付けることができる。
【発明を実施するための最良の形態】
【０００９】
以下に図面を用いて本発明に係る実施の形態につき、詳細に説明する。図１は、エレベータ用扉ストッパ１０の配置を示す図である。エレベータ用扉ストッパ１０は、エレベータの扉１２を開いた状態で扉１２を拘束するために、エレベータの敷居溝１４に配置される。そして、エレベータ用扉ストッパ１０は、エレベータの扉１２と接触して扉１２を拘束するため敷居溝１４より高くなるように配置される。
【００１０】
図２は、エレベータ用扉ストッパ１０の構成を示す図である。そして、図３は、エレベータ用扉ストッパ１０の詳細図である。このうち、図３の（ａ）は、エレベータ用扉ストッパ１０の正面図であり、図３の（ｂ）は、上面図であり、図３の（ｃ）は、側面図である。図２または図３に示すように、エレベータ用扉ストッパ１０は、一対のくさび片１６、１８を含んで構成される。一対のくさび片１６、１８は、各々の傾斜面を対向させて滑らせることにより、各々の敷居溝１４に沿った面を敷居溝１４の縁に押し当てて突っ張り固定させるため、図２に示すくさび片の長い方の幅Ｍとくさび片の短い方の幅ｍの合計が、敷居溝１４の幅より大きくなるように設定される。そして、一対のくさび片１６、１８のうち、一方のくさび片１６は、他方のくさび片１８と対向する傾斜面に、他方のくさび片１８を案内する突出した案内部２０を有している。そして、他方のくさび片１８は、一方のくさび片１６と対向する傾斜面に、案内部２０を嵌め込む案内溝２２を有している。また、各々くさび片１６、１８には、くさび片をエレベータの敷居溝１４に取り付けやすいように取っ手２４を設けることもできる。
【００１１】
一方のくさび片１６における案内部２０は、エレベータ用扉ストッパ１０を敷居溝１４に取り付けやすいように一方のくさび片１６の上部に設けることができる。そして、案内部２０は、案内部２０を他方のくさび片１８における案内溝２２から外れにくいようにするために、一方のくさび片１６の一端から他端までの長さと同じとなるように設けることができる。勿論、案内部２０は、これに限定されることなく、他の条件次第では、一方のくさび片１６の一端から他端のうちの一部に設けてもよい。案内部２０の幅Ｌは、案内部２０を他方のくさび片１８における案内溝２２から外れにくいようにするために、例えば、１ｍｍ以上とすることができる。勿論、案内部２０の幅Ｌは、他の条件次第では、特に、この幅に限定されることはない。案内部２０の厚みＴは、案内部２０が変形しにくいようにするために、例えば、１ｍｍ以上とすることができる。勿論、案内部２０の厚みＴは、他の条件次第では、特に、この厚みに限定されることはない。
【００１２】
他方のくさび片１８における案内溝２２は、一方のくさび片１６における案内部２０を嵌め込むことができるように設けられる。例えば、一方のくさび片１６における案内部２０が、図２または図３に示すようにくさび片の一端から他端まで設けられる場合には、案内溝２２についても他方のくさび片１８の一端から他端までの長さと同じとなるように設けられる。勿論、案内溝２２の配置は、他の条件次第では、これに限定されることなく、他方のくさび片１８の一端から他端のうちの一部に設けてもよい。案内溝２２の深さＤは、一方のくさび片１６における案内部２０を案内溝２２に嵌め込んで各々の傾斜面を接触させるため、案内部２０の幅Ｌより大きくする。例えば、案内部２０の幅Ｌが１ｍｍである場合には、案内溝２２の深さＤは１ｍｍより大きくする。そして、案内溝２２の幅Ｗは、一方のくさび片１６における案内部２０を嵌め込むことができるように案内部２０の厚みＴよりも大きくする。例えば、案内部２０の厚みＴが１ｍｍである場合には、案内溝２２の幅Ｗは１ｍｍより大きくする。
【００１３】
くさび片１６、１８の材料には、一般的に、アルミニウム合金や鉄合金等の金属材料を使用することができる。勿論、くさび片１６、１８の材料は、他の条件次第では、酸化アルミニウムや炭化珪素のような無機材料を用いてもよいし、ポリエステル樹脂やエポキシ樹脂等の合成樹脂を使用することもできる。そして、くさび片１６、１８は、一般的な機械加工によりこれらの金属材料等を加工して作製される。また、一方のくさび片１６における案内部２０と他方のくさび片１８における案内溝２２についても、一般的な機械加工により加工して形成することができる。また、案内部２０については、案内部２０の形状に別途加工した部材を接着や溶接等によりくさび片１６に接合することもできる。
【００１４】
つぎに、上記エレベータ用扉ストッパ１０の作用について説明する。図４は、エレベータ用扉ストッパ１０の作用を示す図である。まず、図４の（ａ）に示すように、一方のくさび片１６の案内部２０を他方のくさび片１８の案内溝２２に嵌め込んで案内させながら、各々くさび片１６、１８の傾斜面を対向させて、各々の傾斜面が重なるように滑らせる。そして、図４の（ｂ）に示すように、各々くさび片１６、１８の敷居溝１４に沿った面を敷居溝１４の縁に押し当てて、取っ手２４を用いて突っ張り固定させる。それにより、エレベータ用扉ストッパ１０は、各々くさび片１６、１８の敷居溝１４に沿った面と敷居溝１４の縁との間の摩擦力により敷居溝１４に固定される。この場合において、摩擦力によりエレベータ用扉ストッパ１０を固定することで、ネジで固定する場合と比較してネジ孔摩耗によるネジの緩み等が生じないので、エレベータ用扉ストッパ１０を強固に突っ張り固定することができる。
【００１５】
エレベータの扉１２は、エレベータ用扉ストッパ１０により拘束されるため、扉１２を開いた状態に保つことができる。また、エレベータ用扉ストッパ１０は、エレベータの扉１２を拘束することにより、エレベータの扉１２からエレベータ用扉ストッパ１０にさらに荷重が負荷されて、エレベータ用扉ストッパ１０は敷居溝１４の縁により強固に突っ張り固定される。これにより、エレベータの扉１２を開いた状態でエレベータの保守作業を行うことができる。そして、エレベータの保守作業が終了した後は、エレベータ用扉ストッパ１０を敷居溝１４から取り外して、エレベータの扉１２の拘束を解除する。エレベータ用扉ストッパ１０を敷居溝１４から取り外すには、エレベータ用扉ストッパ１０に設けられた取っ手２４により、エレベータ用扉ストッパ１０を敷居溝１４に取り付けたときと反対の方向に各々くさび片１６、１８を滑らせることにより取り外すことができる。このようにエレベータ用扉ストッパ１０を取り外すときにも、一方のくさび片１６の案内部２０が、くさび片１８の案内溝２２に案内されて取り外されるためエレベータ用扉ストッパ１０を敷居溝１４から容易に取り外すことができる。
【００１６】
以下に図面を用いて本発明に係る他の実施の形態につき、詳細に説明する。なお、図２または図３と同様の要素には同一の符号を付して詳細な説明は省略する。図５は、エレベータ用扉ストッパ３０の詳細図である。上述した一方のくさび片１６における案内部２０のかわりに、くさび片から取り外しできる案内部材３２を用いることができる。図５の（ａ）は、エレベータ用扉ストッパ３０の側面図であり、図５の（ｂ）は案内部材３２の模式図である。案内部材３２は、図５に示すように、くさび片から外れにくいようにするためＬ字型とすることができる。勿論、案内部材３２の形状は、他の条件次第では、特に、Ｌ字型に限定されることはない。そして、各々のくさび片３４、３６は、案内部材３２を案内する案内溝３８、４０を有している。
【００１７】
案内部材３２の長さは、例えば、各々くさび片３４、３６の一端から他端までの長さと同じとすることができる。勿論、他の条件次第では、特に、この長さに限定されることなく、くさび片３４、３６の長さより短くすることもできる。そして、案内部材３２は、一方のくさび片３４の傾斜面から１ｍｍ以上突出するようにすることができる。勿論、他の条件次第では、特に、この突出量に限定されることはない。案内部材３２の厚みは、案内部材３２が変形しにくいようにするために、例えば、１ｍｍ以上とすることができる。勿論、案内部材３２の厚みは、他の条件次第では、特に、この厚みに限定されることはない。
【００１８】
案内部材３２の材料には、上述したくさび片と同様の金属材料等を使用することができる。そして、案内部材３２は、一般的な機械加工により金属材料等を加工して作製することができる。
【００１９】
つぎに、上記エレベータ用扉ストッパ３０の作用について説明する。図６は、エレベータ用扉ストッパ３０の作用を示す図である。まず、図６の（ａ）に示すように、一方のくさび片３４の案内溝３８に案内部材３２を嵌め込んだ後、一方のくさび片３４の傾斜面からの突出部を他方のくさび片３６の案内溝４０に嵌め込んで案内させながら、各々くさび片３４、３６の傾斜面を対向させて、各々の傾斜面が重なるように滑らせる。そして、図６の（ｂ）に示すように、各々くさび片３４、３６の敷居溝１４に沿った面を敷居溝１４の縁に押し当てて取っ手２４を用いて突っ張り固定させる。
【００２０】
以下に図面を用いて本発明に係るさらに他の実施の形態につき、詳細に説明する。なお、図２または図３と同様の要素には同一の符号を付して詳細な説明は省略する。図７は、エレベータ用扉ストッパ５０の詳細図である。図７の（ａ）は、エレベータ用扉ストッパ５０の正面図、図７の（ｂ）は上面図である。各々のくさび片１６、１８の敷居溝１４に沿った面には、これらの面と敷居溝１４の縁との摩擦力を更に大きくするために突出した滑り止め５２を設けてもよい。滑り止め５２の形状は、図７に示すように、例えば、三角形の形状とすることができる。そして、滑り止め５２は、各々くさび片１６、１８の敷居溝１４に沿った面に複数個設けることができる。勿論、滑り止め５２の形状は、特に、これに限定されることはなく、シート状のものを用いてもよい。また、上記のエレベータ用扉ストッパ５０は、エレベータ用扉ストッパ１０に滑り止め５２を設けた場合であるが、勿論、エレベータ用扉ストッパ３０へ同様にして滑り止め５２を設けることもできる。
【００２１】
滑り止め５２の材料は、弾性材料、例えば、ゴム材料を使用することができる。ゴム材料としては、例えば、ウレタンゴムを用いることができる。勿論、ゴム材料は、ウレタンゴムに限定されることはなく、他のゴムを用いることができる。そして、滑り止め５２は、例えば、ゴム材料で所定の形状に成形した後、各々くさび片１６、１８の敷居溝１４に沿った面にエポキシ樹脂等の接着剤により接着される。
【００２２】
つぎに、上記エレベータ用扉ストッパ５０の作用について説明する。図８は、エレベータ用扉ストッパ５０の作用を示す図である。まず、図８の（ａ）に示すように、滑り止め５２を設けた各々くさび片１６、１８の傾斜面を対向させて、各々の傾斜面が重なるように滑らせる。そして、図８の（ｂ）に示すように、各々くさび片１６、１８の敷居溝１４に沿った面に設けられた滑り止め５２を敷居溝１４の縁に押し当てることにより、滑り止め５２である弾性部材が変形し、より強固にエレベータ用扉ストッパ５０を敷居溝１４に固定することができる。
【００２３】
以上、上記のエレベータ用扉ストッパによれば、より短時間で、エレベータの敷居溝に取り付けることができる。また、上記のエレベータ用扉ストッパによれば、各々のくさび片と敷居溝との間に片当たり等が生じにくいようにしてエレベータの敷居溝に取り付けることができる。
【図面の簡単な説明】
【００２４】
【図１】本発明の実施の形態であるエレベータ用扉ストッパ１０の配置を示す図である。
【図２】本発明の実施の形態であるエレベータ用扉ストッパ１０の構成を示す図である。
【図３】本発明の実施の形態であるエレベータ用扉ストッパ１０の詳細図である。
【図４】本発明の実施の形態であるエレベータ用扉ストッパ１０の作用を示す図である。
【図５】本発明の他の実施の形態であるエレベータ用扉ストッパ３０の詳細図である。
【図６】本発明の他の実施の形態であるエレベータ用扉ストッパ３０の作用を示す図である。
【図７】本発明のさらに他の実施の形態であるエレベータ用扉ストッパ５０の詳細図である。
【図８】本発明のさらに他の実施の形態であるエレベータ用扉ストッパ５０の作用を示す図である。
【符号の説明】
【００２５】
１０，３０，５０  エレベータ用扉ストッパ、１２  エレベータの扉、１４  敷居溝、１６、３４  一方のくさび片、１８、３６  他方のくさび片、２０  案内部、２２、３８、４０  案内溝、２４  取っ手、３２  案内部材、５２  滑り止め。
【図１】
2007106585.tif 000003
【図２】
2007106585.tif 000004
【図３】
2007106585.tif 000005
【図４】
2007106585.tif 000006
【図５】
2007106585.tif 000007
【図６】
2007106585.tif 000008
【図７】
2007106585.tif 000009
【図８】
2007106585.tif 000010